(57)【要約】【課題】ドハティ増幅器において、デバイスにばらつきがある場合にも、バイアス電圧を最適に設定できると共に、調整工数を削減できるようにする。【解決手段】キャリア増幅器１２とピーク増幅器１３とで、ウェハロットや製造時期等のデバイスに関する共通要素を持つものを用い、ピーク増幅器１３に対するバイアス電圧Ｖｇ２を、キャリア増幅器１２に対するバイアス電圧Ｖｇ１と、所定のオフセット電圧Ｖｏｆｆｓｅｔとから生成する。デバイスのばらつきに係わらず、ピーク増幅器１３に対するバイアス電圧とピンチオフ電圧との差は同じになり、ピーク増幅器１３のバイアス電圧が最適に設定される。また、キャリア増幅器１２を構成するＦＥＴのゲートに印加するバイアス電圧を調整することで、同時に、ピーク増幅器１３を構成するＦＥＴのゲートに供給するバイアス電圧も調整できる。【選択図】図１
2012199746.tif 000002
【特許請求の範囲】
【請求項１】
キャリア増幅手段とピーク増幅手段とを設け、入力信号を前記キャリア増幅手段と前記ピーク増幅手段に分配し、前記キャリア増幅手段の出力と前記ピーク増幅手段の出力とを合成して出力するドハティ増幅器であって、
直流電圧を生成する直流電源と、
前記直流電源からの直流電圧を所定のオフセット電圧だけオフセットさせる電圧オフセット手段とを設け、
前記キャリア増幅手段に対するバイアス電圧及び前記ピーク増幅手段に対するバイアス電圧を、前記直流電源及び前記電圧オフセット手段から印加する
ことを特徴とするドハティ増幅器。
【請求項２】
前記キャリア増幅手段とピーク増幅手段として、デバイスに関する共通要素を有するものを用いることを特徴とする請求項１に記載のドハティ増幅器
【請求項３】
前記デバイスに関する共通要素は、ウェハロット、製造時期であることを特徴とする請求項２に記載のドハティ増幅器。
【請求項４】
前記キャリア増幅手段とピーク増幅手段は、同一パッケージに実装されることを特徴とする請求項１に記載のドハティ増幅器。
【請求項５】
前記電圧オフセット手段は、前記直流電源からの直流電圧から所定のオフセット電圧を減算する減算手段を含むことを特徴とする請求項１に記載のドハティ増幅器。
【請求項６】
前記電圧オフセット手段は、前記直流電源からの直流電圧と所定のオフセット電圧を加算する加算手段を含むことを特徴とする請求項１に記載のドハティ増幅器。
【請求項７】
前記直流電源からの直流電圧を前記キャリア増幅手段に対するバイアス電圧とし、
前記電圧オフセット手段により前記直流電源からの直流電圧をオフセットさせて、前記ピーク増幅手段に対するバイアス電圧とする
ことを特徴とする請求項１に記載のドハティ増幅器。
【請求項８】
前記直流電源からの直流電圧を前記ピーク増幅手段に対するバイアス電圧とし、
前記電圧オフセット手段により前記直流電源からの直流電圧をオフセットさせて前記キャリア増幅終段に対するバイアス電圧とする
ことを特徴とする請求項１に記載のドハティ増幅器。
【請求項９】
キャリア増幅手段とピーク増幅手段とを設け、入力信号を前記キャリア増幅手段と前記ピーク増幅手段に分配し、前記キャリア増幅手段の出力と前記ピーク増幅手段の出力とを合成して出力するドハティ増幅器のバイアス設定方法であって、
直流電源からの直流電圧により前記キャリア増幅手段又は前記ピーク増幅手段に対するバイアス電圧を設定し、
前記直流電源からの直流電圧をオフセットさせて、前記ピーク増幅手段又は前記キャリア増幅手段に対するバイアス電圧を設定する
ことを特徴とするドハティ増幅器のバイアス設定方法。
【発明の詳細な説明】
【技術分野】
【０００１】
本発明は、携帯電話基地局用等の電力増幅器等に使用して好適なドハティ増幅器及びドハティ増幅器のバイアス設定方法に関する。
【背景技術】
【０００２】
携帯電話基地局用等の電力増幅器に対して、高効率化の要求が非常に厳しくなっている。その理由は、電力増幅器の効率を増加させることにより、消費電力を低減させ、コストダウンを図るためである。また、電力増幅器の効率を増加させると、省エネルギー化による環境負荷の低減効果がある。更に、電力増幅器の効率を増加させると、電力増幅器の発熱量が低減されるため、放熱のために必要な放熱板の表面積を削減でき、電力増幅器の体積を小さくすることができる。
【０００３】
電力増幅器の高効率化のため、ドハティ増幅器が広く一般的に使用されている（例えば特許文献１）。ドハティ増幅器は、キャリア増幅器とピーク増幅器とを設け、電力分配回路により入力ＲＦ（Ｒａｄｉｏ  Ｆｒｅｑｕｅｎｃｙ）信号をキャリア増幅器とピーク増幅器に分配し、キャリア増幅器の出力とピーク増幅器の出力とを合成して出力するものである。キャリア増幅器は、入力ＲＦ信号を常に増幅させるため、Ａ級、ＡＢ級、Ｂ級にバイアスされる。ピーク増幅器は、高電力出力時のみに動作させるため、Ｃ級にバイアスされる。
【０００４】
ドハティ増幅器におけるキャリア増幅器は、飽和出力電力近傍で飽和を維持しながら動作し、飽和出力電力からバックオフをとった出力時においても、通常のＡ級、ＡＢ級増幅器よりも高い効率を実現することができ、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）変調波やＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）変調波といった、大きなピークファクタを有する変調波使用システムにおける電力増幅器の高効率化に有効である。
【０００５】
図１４は、一般的なドハティ増幅器の構成の一例を示すブロック図である。図１４に示すように、ドハティ増幅器５０１は、入力電力分配回路５１１と、キャリア増幅器５１２と、ピーク増幅器５１３と、出力電力合成回路５１４とを有している。
【０００６】
入力電力分配回路５１１は、ＲＦ入力端子５２１からのＲＦ信号を２つの経路に分配して出力する。入力電力分配回路５１１の一方の出力は、ＤＣデカップリングコンデンサ５２２を介して、キャリア増幅器５１２を構成するＦＥＴ（Ｆｉｅｌｄ  Ｅｆｆｅｃｔ  Ｔｒａｎｓｉｓｔｏｒ）のゲートに供給される。入力電力分配回路５１１の他方の出力は、ＤＣデカップリングコンデンサ５２３を介して、ピーク増幅器５１３を構成するＦＥＴのゲートに供給される。
【０００７】
キャリア増幅器５１２は、例えばＦＥＴを用いた電力増幅器であり、入力電力分配回路５１１からの入力ＲＦ信号を常時増幅する。キャリア増幅器５１２を構成するＦＥＴのゲートには、直流電源５２４から、チョークコイル５２５を介して、バイアス電圧が印加される。キャリア増幅器
５１２に対するバイアス電圧は、Ａ級、ＡＢ級、又はＢ級バイアスとなるように設定される。また、キャリア増幅器５１２を構成するＦＥＴのドレインには、直流電源５２８から、チョークコイル５２９を介して、所望の直流電圧（例えば＋２８Ｖ）が印加される。
【０００８】
ピーク増幅器５１３は、例えばＦＥＴを用いた電力増幅器であり、入力電力分配回路５１１からの入力ＲＦ信号のピークを増幅する。ピーク増幅器５１３を構成するＦＥＴのゲートには、直流電源５２６から、チョークコイル５２７を介して、バイアス電圧が印加される。ピーク増幅器５１３に対するバイアス電圧は、Ｃ級バイアスとなるように設定される。また、ピーク増幅器５１３を構成するＦＥＴのドレインには、チョークコイル５３０を介して、所望の直流電圧（例えば＋２８Ｖ）が印加される。
【０００９】
キャリア増幅器５１２の出力信号は、ＤＣデカップリングコンデンサ５３１を介して、出力電力合成回路５１４に供給される。また、ピーク増幅器５１３の出力信号は、ＤＣデカップリングコンデンサ５３２を介して、出力電力合成回路５１４に供給される。出力電力合成回路５１４は、キャリア増幅器５１２の出力信号とピーク増幅器５１３の出力信号とを合成し、出力端子５３３から出力する。
【００１０】
上述のように、ドハティ増幅器では、キャリア増幅器５１２とピーク増幅器５１３とが設けられ、キャリア増幅器５１２はＡ級からＢ級にバイアスされ、ピーク増幅器５１３は、Ｃ級にバイアスされる。このようなドハティ増幅器の効率、利得、歪、飽和出力といったＲＦ特性は、キャリア増幅器５１２及びピーク増幅器５１３のバイアス設定値が大きく影響する。
【００１１】
図１５は、キャリア増幅器５１２及びピーク増幅器５１３として使用できるＦＥＴの無信号時におけるゲート電圧に対するドレイン電流の関係の一例を示す。図１５において、横軸がゲート電圧を示し、縦軸がドレイン電流を示している。図１５に示すように、ゲート電圧がピンチオフ電圧Ｖｐ以下の場合には、ドレイン電流は流れず、ゲート電圧がピンチオフ電圧Ｖｐ以上になると、ゲート電圧の上昇と共に、ドレイン電流が増加していく。
【００１２】
キャリア増幅器５１２のバイアスはＡ級、ＡＢ級、Ｂ級であり、そのゲートに印加されるバイアス電圧は、図１５において、ピンチオフ電圧Ｖｐ以上の領域ＡＲ１の範囲に設定される。Ａ級からＢ級バイアスでは、バイアス電圧はピンチオフ電圧Ｖｐ以上であるから、入力信号が無い場合でもドレイン電流が流れる。
【００１３】
ピーク増幅器５１３のバイアスはＣ級であり、そのゲートに印加されるバイアス電圧は、図１５において、ピンチオフ電圧Ｖｐ以下の領域ＡＲ２の範囲に設定される。Ｃ級バイアスでは、バイアス電圧はピンチオフ電圧Ｖｐ以下であるから、入力信号が無い場合にはドレイン電流は流れない。
【００１４】
キャリア増幅器５１２のバイアス電圧は、ピンチオフ電圧Ｖｐ以上の領域ＡＲ１の範囲に設定されるため、最適なバイアス電圧は、比較的簡単に求めることができる。すなわち、キャリア増幅器５１２のドレイン電流を観測しながら、ゲート電圧を変化させ、キャリア増幅器５１２のドレイン電流が所定値となるように、ゲート電圧を調整すれば良い。すなわち、図１５に示されるような特性のＦＥＴであれば、ドレイン電流を観測しながらゲート電圧を可変し、ドレイン電流が１Ａとなるようにゲート電圧を調整すれば、キャリア増幅器５１２に対する最適なバイアス電圧である２．８Ｖに設定できる。
【００１５】
これに対して、ピーク増幅器５１３のバイアス電圧は、ピンチオフ電圧Ｖｐ以下の領域ＡＲ２の範囲に設定される。このため、入力信号が無い場合には、ドレイン電流は流れず、ドレイン電流を観測しながら、最適なバイアス電圧を設定することはできない。このため、ピーク増幅器５１３に対するバイアス電圧は、個々の増幅器での調整は行われず、固定値に設定されることが多い。すなわち、図１５に示されるような特性のＦＥＴであれば、ピーク増幅器５１３に対するバイアス電圧は、例えば１Ｖの固定値に設定される。
【００１６】
したがって、一般的な手法でドハティ増幅器のバイアス電圧を調整する場合の調整手順は、図１６に示すようになる。
【００１７】
図１６に示すように、ドハティ増幅器のバイアス調整を行う場合には、調整者は、直流電源５２８によりキャリア増幅器５１２及びピーク増幅器５１３を構成するＦＥＴのドレインに直流電圧を印加する（ステップＳ１０１）。
【００１８】
次に、調整者は、直流電源５２４によりキャリア増幅器５１２を構成するＦＥＴのゲートに電圧を印加し、そのドレイン電流を観測し、キャリア増幅器５１２を構成するＦＥＴのドレイン電流が所望の電流となるように、直流電源５２４の電圧を調整して、キャリア増幅器５１２を構成するＦＥＴのゲートに供給するバイアス電圧を調整する（ステップＳ１０２）。
【００１９】
次に、調整者は、直流電源５２６により、ピーク増幅器５１３を構成するＦＥＴのゲートに供給するバイアス電圧を調整する。このバイアス電圧は、予め決められた固定値となるように、調整を行う（ステップＳ１０３）。
【先行技術文献】
【特許文献】
【００２０】
【特許文献１】国際公開第２００５／０２９６８５号パンフレット
【発明の概要】
【発明が解決しようとする課題】
【００２１】
このように、一般的なドハティ増幅器では、ピーク増幅器５１３を構成するＦＥＴのゲートに供給するバイアス電圧を、予め決められた固定値となるように調整を行っている。ところが、ＦＥＴのゲート電圧に対するドレイン電流特性には、同一種類のＦＥＴでも、ウェハロットの違い、製造時期の違い等により、ばらつきがある。このため、ピーク増幅器５１３に対するバイアス電圧を固定値に設定すると、使用するＦＥＴの特性によっては、利得特性や効率特性が劣化してしまう場合がある。
【００２２】
つまり、図１７は、ＦＥＴのゲート電圧に対するドレイン電流特性のばらつきを示すものである。図１７は、デバイスＱ１０１、デバイスＱ１０２、デバイスＱ１０３の３つのＦＥＴを使用し、その特性を比較したものである。これらのデバイスＱ１０１、Ｑ１０２、Ｑ１０３は、同一種類のＦＥＴであるが、ウェハロットの違い、製造時期の違い等により、ゲート電圧に対するドレイン電流の特性にばらつきが生じている。
【００２３】
図１７において、デバイスＱ１０１のＦＥＴはそのピンチオフ電圧Ｖｐは１．５Ｖであり、デバイスＱ１０２のＦＥＴはそのピンチオフ電圧Ｖｐが２．０Ｖ、デバイスＱ１０３のＦＥＴはそのピンチオフ電圧Ｖｐが２．５Ｖである。このように、特性のばらつきにより、同じドレイン電流を流すためのゲート電圧は、０．１Ｖ〜１Ｖ程度の範囲で異なり、また、ピンチオフ電圧Ｖｐも、同じように、０．１Ｖ〜１Ｖ程度の範囲で異なっている。
【００２４】
例えば、ピーク増幅器５１３として、図１７におけるデバイスＱ１０３のＦＥＴを使い、バイアス電圧として２．０Ｖをそのゲートに印加したとする。デバイスＱ１０３のＦＥＴのピンチオフ電圧Ｖｐは２．５Ｖであるから、２．０Ｖのバイアス電圧はピンチオフ電圧Ｖｐ以下である。したがって、無信号時にはドレイン電流は流れない。
【００２５】
ところが、同じ条件で、ピーク増幅器５１３として、図１７におけるデバイスＱ１０１のＦＥＴを使用したとする。デバイスＱ１０１のＦＥＴのピンチオフ電圧Ｖｐは１．５Ｖであり、２．０Ｖのバイアス電圧は、ピンチオフ電圧Ｖｐより大きくなってしまう。したがって、無信号時にも、１００ｍＡ程度のドレイン電流が流れてしまい、ドハティ増幅器の効率を低下させてしまう。
【００２６】
図１８及び図１９は、あるデバイスのＦＥＴを使用して、図１４に示したようなドハティ増幅器を構成し、ピーク増幅器５１３に対するバイアス電圧（ゲート電圧）を０．４Ｖ〜２．０Ｖまで、０．４Ｖステップで変化させたときの出力信号電力に対する利得特性と、出力信号電力に対する効率特性をシミュレーションした結果である。図１８が出力信号電力に対する利得特性を示し、図１９が出力信号電力に対する効率特性である。
【００２７】
前述したピーク増幅器５１３のバイアスをある固定のゲート電圧値に設定している構成において、ＦＥＴのゲート電圧に対するドレイン電流特性がばらついた場合のドハティ増幅器への特性寄与は、図１８及び図１９に示すように、ピーク増幅器５１３のゲート電圧を変化させた場合のドハティ増幅器への特性寄与とほぼ等価となる。
【００２８】
図１８及び図１９の特性結果から、例えば定格出力信号電力レベルと仮定した４５ｄＢｍでの特性を見ると、ピーク増幅器５１３のゲート電圧が０．４Ｖ〜２．０Ｖの範囲で変化するのに伴い、利得は１６ｄＢ〜１６．５ｄＢと０．５ｄＢ変化し、効率は４２％〜３５％と７ポイントも変化することがわかる。
【００２９】
この特性変化を抑圧し、ドハティ増幅器のＲＦ特性を安定化するためには、ピーク増幅器５１３を構成するＦＥＴのピンチオフ電圧Ｖｐと、ピーク増幅器５１３に印加するバイアス電圧の差を一定に保つことが望ましい。
【００３０】
ピーク増幅器５１３として使用するＦＥＴのゲート電圧に対するドレイン電流特性を個々に測定し、その結果に応じて、ピーク増幅器５１３のゲートに供給する直流電源５２６の電圧を個々に調整すれば、ドハティ増幅器のＲＦ特性を安定化することは可能である。しかしながら、ＦＥＴのゲート電圧に対するドレイン電流特性を１つ１つ測定して、更に測定結果からＶｐを正確に読み取り、その結果に応じて、ピーク増幅器５１３のゲート電圧供給する直流電源５２６の電圧１つ１つの調整していくのでは、調整の工数が増加し、生産性が低下し、また、コストアップになる。
【００３１】
上述の課題を鑑み、本発明は、ＦＥＴのゲート電圧に対するドレイン電流特性がばらつきがある場合にも、バイアス電圧を最適に設定できると共に、調整工数が削減でき、コストダウンを図ることができるドハティ増幅器及びドハティ増幅器のバイアス設定方法を提供することを目的とする。
【課題を解決するための手段】
【００３２】
上述の課題を解決するために、本発明に係るドハティ増幅器は、キャリア増幅手段とピーク増幅手段とを設け、入力信号をキャリア増幅手段とピーク増幅手段に分配し、キャリア増幅手段の出力とピーク増幅手段の出力とを合成して出力するドハティ増幅器であって、直流電圧を生成する直流電源と、直流電源からの直流電圧を所定のオフセット電圧だけオフセットさせる電圧オフセット手段とを設け、キャリア増幅手段に対するバイアス電圧及びピーク増幅手段に対するバイアス電圧を、直流電源及び電圧オフセット手段から印加することを特徴とする。
【００３３】
本発明に係るドハティ増幅器のバイアス設定方法は、キャリア増幅手段とピーク増幅手段とを設け、入力信号をキャリア増幅手段とピーク増幅手段に分配し、キャリア増幅手段の出力とピーク増幅手段の出力とを合成して出力するドハティ増幅器のバイアス設定方法であって、直流電源からの直流電圧によりキャリア増幅手段又はピーク増幅手段に対するバイアス電圧を設定し、直流電源からの直流電圧をオフセットさせて、ピーク増幅手段又はキャリア増幅手段に対するバイアス電圧を設定することを特徴とする。
【発明の効果】
【００３４】
本発明によれば、ピーク増幅器に対するバイアス電圧を、直流電源からの直流電圧を所定のオフセット電圧Ｖｏｆｆｓｅｔだけオフセットさせて、生成している。これにより、増幅器を構成するＦＥＴの特性のばらつきに係わらず、ピーク増幅器のバイアス電圧を最適に設定することができる。また、本発明によれば、キャリア増幅器のバイアス設定と同時にピーク増幅器のバイアス設定ができ、ドハティ増幅器のバイアス調整手順を簡素化できる。また、本発明によれば、ピーク増幅器用の直流電源が不要となり、回路規模の削減及びコストダウンを図ることができる。
【図面の簡単な説明】
【００３５】
【図１】本発明の第１の実施形態に係るドハティ増幅器の構成を示すブロック図である。
【図２】増幅器を構成するＦＥＴのゲート電圧に対するドレイン電流の関係を示すグラフである。
【図３】本発明の第１の実施形態に係るドハティ増幅器のバイアス調整手順を示すフローチャートである。
【図４】本発明の第１の実施形態に係るドハティ増幅器におけるオフセット回路の第１の例を示すブロック図である。
【図５】本発明の第１の実施形態に係るドハティ増幅器におけるオフセット回路の第１の例の具体的な構成を示す接続図である。
【図６】本発明の第１の実施形態に係るドハティ増幅器におけるオフセット回路の第２の例を示すブロック図である。
【図７】本発明の第１の実施形態に係るドハティ増幅器におけるオフセット回路の第２の例の具体的な構成を示す接続図である。
【図８】本発明の第１の実施形態に係るドハティ増幅器におけるオフセット回路の第３の例を示すブロック図である。
【図９】本発明の第１の実施形態に係るドハティ増幅器におけるオフセット回路の第４の例を示すブロック図である。
【図１０】本発明の第２の実施形態に係るドハティ増幅器の構成を示すブロック図である。
【図１１】本発明の第３の実施形態の説明図である。
【図１２】本発明の第４の実施形態の説明図である。
【図１３】本発明の第５の実施形態に係るドハティ増幅器の構成を示すブロック図である。
【図１４】一般的なドハティ増幅器の構成の一例を示すブロック図である。
【図１５】ＦＥＴの無信号時におけるゲート電圧に対するドレイン電流の関係の一例を示すグラフである。
【図１６】一般的なドハティ増幅器のバイアス調整手順を示すフローチャートである。
【図１７】ＦＥＴのゲート電圧に対するドレイン電流特性のばらつきを示すグラフである。
【図１８】バイアス電圧を変化させたときの出力信号電力に対する利得特性の変化を示すグラフである。
【図１９】バイアス電圧を変化させたときの出力信号電力に対する利得特性の変化を示すグラフである。
【発明を実施するための形態】
【００３６】
以下、本発明の実施の形態について図面を参照しながら説明する。図１は、本発明の第１の実施形態に係るドハティ増幅器の構成を示すブロック図である。
【００３７】
図１に示すように、本発明の第１の実施形態に係るドハティ増幅器１は、入力電力分配回路１１と、キャリア増幅器１２と、ピーク増幅器１３と、出力電力合成回路１４とを有している。
【００３８】
入力電力分配回路１１は、ＲＦ入力端子２１からのＲＦ信号を２つの経路に分配して出力する。入力電力分配回路１１の一方の出力は、ＤＣデカップリングコンデンサ２２を介して、キャリア増幅器１２を構成するＦＥＴのゲートに供給される。入力電力分配回路１１の他方の出力は、ＤＣデカップリングコンデンサ２３を介して、ピーク増幅器１３を構成するＦＥＴのゲートに供給される。
【００３９】
キャリア増幅器１２は、例えばＦＥＴを用いた電力増幅器であり、入力電力分配回路１１からの入力ＲＦ信号を常時増幅する。キャリア増幅器１２を構成するＦＥＴのゲートには、直流電源２４から、チョークコイル２５を介して、バイアス電圧が印加される。キャリア増幅器１２に対するバイアス電圧は、Ａ級、ＡＢ級、又はＢ級バイアスとなるように設定される。また、キャリア増幅器１２を構成するＦＥＴのドレインには、直流電源２８から、チョークコイル２９を介して、所望の直流電圧（例えば＋２８Ｖ）が印加される。
【００４０】
また、直流電源２４からの直流電圧は、電圧オフセット回路２６に供給される。電圧オフセット回路２６は、直流電源２４からの直流電圧を所定電圧だけオフセットさせて、ピーク増幅器１３に対するバイアス電圧を生成する。
【００４１】
ピーク増幅器１３は、例えばＦＥＴを用いた電力増幅器であり、入力電力分配回路１１からの入力ＲＦ信号のピークを増幅する。ピーク増幅器１３を構成するＦＥＴのゲートには、電圧オフセット回路２６から、チョークコイル２７を介して、バイアス電圧が印加される。ピーク増幅器１３に対するバイアス電圧は、Ｃ級バイアスとなるように設定される。また、ピーク増幅器１３を構成するＦＥＴのドレインには、チョークコイル３０を介して、所望の直流電圧（例えば＋２８Ｖ）が印加される。
【００４２】
ここで、キャリア増幅器１２とピーク増幅器１３とでは、ウェハロットや製造時期等のデバイスに関する共通要素を持つものを用いられる。
【００４３】
キャリア増幅器１２の出力信号は、ＤＣデカップリングコンデンサ３１を介して、出力電力合成回路１４に供給される。また、ピーク増幅器１３の出力信号は、ＤＣデカップリングコンデンサ３２を介して、出力電力合成回路１４に供給される。出力電力合成回路１４は、キャリア増幅器１２の出力信号とピーク増幅器１３の出力信号とを合成し、出力端子３３から出力する。
【００４４】
このように、本発明の第１の実施形態に係るドハティ増幅器では、キャリア増幅器１２に対するバイアス電圧は、直流電源２４から供給される。一方、ピーク増幅器１３に対するバイアス電圧は、直流電源２４からの直流電圧を所定のオフセット電圧だけオフセットさせることで電圧オフセット回路２６により生成され、電圧オフセット回路２６からピーク増幅器１３を構成するＦＥＴのゲートに供給される。
【００４５】
このような構成とすることにより、増幅器を構成するＦＥＴの特性のばらつきに係わらず、ピーク増幅器１３のバイアス電圧を最適に設定することができる。また、キャリア増幅器１２を構成するＦＥＴのゲートに印加するバイアス電圧を調整することで、同時に、ピーク増幅器１３を構成するＦＥＴのゲートに供給するバイアス電圧も調整でき、調整工数を削減することができる。このことについて、以下に説明する。
【００４６】
図２（Ａ）及び図２（Ｂ）は、増幅器を構成するＦＥＴのゲート電圧に対するドレイン電流の関係を示したものである。図２（Ａ）及び図２（Ｂ）において、横軸はゲート電圧を示し、縦軸はドレイン電流を示している。ゲート電圧に対するドレイン電流の関係の特性は、ウェハロットの違い、製造時期の違い等により、ばらつきがある。図２（Ａ）は、ＦＥＴとしてデバイスＱ１を使用したときの特性であり、図２（Ｂ）はＦＥＴとしてデバイスＱ２を使用したときの特性を示している。
【００４７】
図２（Ａ）に示すように、デバイスＱ１のＦＥＴを使用した場合、そのピンチオフ電圧Ｖｐは２．０Ｖである。また、図２（Ｂ）に示すように、デバイスＱ２のＦＥＴを使用した場合、そのピンチオフ電圧Ｖｐは２．５Ｖである。このように、この例では、ピンチオフ電圧に、０．５Ｖのばらつきが生じている。
【００４８】
図２（Ａ）及び図２（Ｂ）に示すように、増幅器を構成するＦＥＴの特性にはばらつきがあるが、例えば同ウェハロットであることや、製造時期が同じであることなど、デバイス製造に関する共通要素を持つ場合には、ゲート電圧に対するドレイン電流特性がほぼ揃っていることが期待できる。
【００４９】
ここでは、キャリア増幅器１２とピーク増幅器１３とでデバイス製造に関する共通要素を持つＦＥＴが使用されており、キャリア増幅器１２を構成するＦＥＴの特性とピーク増幅器１３を構成するＦＥＴの特性は殆ど等しいとする。
【００５０】
今、キャリア増幅器１２に対するバイアス電圧を、そのドレイン電流が１Ａになるように設定するものとする。また、オフセット電圧Ｖｏｆｆｓｅｔを（Ｖｏｆｆｓｅｔ＝１．７Ｖ）とする。そして、キャリア増幅器１２及びピーク増幅器１３として、デバイスＱ１のような特性のものを使用したとする。
【００５１】
キャリア増幅器１２及びピーク増幅器１３として、デバイスＱ１のＦＥＴを使用した場合には、図２（Ａ）に示した特性から、ドレイン電流が１Ａとなるときのゲート電圧は２．７Ｖである。よって、直流電源２４の直流電圧Ｖｇ１は、（Ｖｇ１＝２．７Ｖ）に設定される。
【００５２】
一方、電圧オフセット回路２６は、直流電源２４からの直流電圧Ｖｇ１を、オフセット電圧Ｖｏｆｆｓｅｔだけオフセットした電圧（Ｖｇ１−Ｖｏｆｆｓｅｔ）を生成する。ここで、直流電源２４からの直流電圧Ｖｇ１は、（Ｖｇ１＝２．７Ｖ）であり、オフセット電圧Ｖｏｆｆｓｅｔは、（Ｖｏｆｆｓｅｔ＝１．７Ｖ）であるから、電圧オフセット回路２６から出力される直流電圧Ｖｇ２は、（Ｖｇ２＝Ｖｇ１−Ｖｏｆｆｓｅｔ＝２．７Ｖ−１．７Ｖ＝１．０Ｖ）となる。この電圧オフセット回路２６から出力される直流電圧Ｖｇ２（Ｖｇ２＝１．０Ｖ）がピーク増幅器１３のゲートに印加される。
【００５３】
図２（Ａ）の特性から、デバイスＱ１のＦＥＴのピンチオフ電圧は（Ｖｐ＝２．０Ｖ）である。したがって、このときピーク増幅器１３のゲートに印加される電圧（Ｖｇ２＝１．０Ｖ）と、ピンチオフ電圧（Ｖｐ＝２．０Ｖ）との差は、（２．０Ｖ−１．０Ｖ＝１．０Ｖ）となる。
【００５４】
次に、同様の条件で、キャリア増幅器１２及びピーク増幅器１３として使用するＦＥＴを、デバイスＱ２のＦＥＴに変更したとする。
【００５５】
キャリア増幅器１２及びピーク増幅器１３として、デバイスＱ２のＦＥＴを使用した場合には、図２（Ｂ）に示した特性から、ドレイン電流が１Ａとなるときのゲート電圧は３．２Ｖである。よって、直流電源２４からの直流電圧Ｖｇ１は（Ｖｇ１＝３．２Ｖ）に設定される。直流電源２４からの直流電圧Ｖｇ１は、（Ｖｇ１＝３．２Ｖ）であり、オフセット電圧Ｖｏｆｆｓｅｔは（Ｖｏｆｆｓｅｔ＝１．７Ｖ）であるから、電圧オフセット回路２６から出力される直流電圧Ｖｇ２は、（Ｖｇ２＝３．２Ｖ−１．７Ｖ＝１．５Ｖ）となる。この電圧オフセット回路２６から出力される直流電圧Ｖｇ２（Ｖｇ２＝１．５Ｖ）がバイアス電圧としてピーク増幅器１３のゲートに印加される。
【００５６】
図２（Ｂ）の特性から、デバイスＱ２のＦＥＴのピンチオフ電圧は（Ｖｐ＝２．５Ｖ）である。したがって、このときピーク増幅器１３のゲートに印加される電圧（Ｖｇ２＝１．５Ｖ）と、このときのピンチオフ電圧（Ｖｐ＝２．５Ｖ）との差は、（２．５Ｖ−１．５Ｖ＝１．０Ｖ）となる。
【００５７】
このように、デバイスＱ１のＦＥＴを使った場合も、デバイスＱ２のＦＥＴを使った場合も、ピーク増幅器１３に設定されるバイアス電圧のピンチオフ電圧Ｖｐとの差は殆ど同じである。すなわち、デバイスＱ１のＦＥＴを使った場合も、デバイスＱ２のＦＥＴを使った場合も、ピーク増幅器１３に対するバイアスは、同等に設定されたことになる。
【００５８】
このように、本発明の第１の実施形態では、ＦＥＴの特性のばらつきがあっても、キャリア増幅器１２のバイアス電圧を生成する直流電源２４の電圧を最適に設定することで、同時に、ピーク増幅器１３のバイアス電圧が最適に設定される。
【００５９】
図３は、本発明の第１の実施形態に係るドハティ増幅器のバイアス調整手順を示すフローチャートである。
【００６０】
図３に示すように、ドハティ増幅器のバイアス調整を行う場合には、調整者は、直流電源２８によりキャリア増幅器１２及びピーク増幅器１３を構成するＦＥＴのドレインに直流電圧を印加する（ステップＳ１）。
【００６１】
次に、調整者は、直流電源２４によりキャリア増幅器１２を構成するＦＥＴのゲートに電圧を印加し、そのドレイン電流を観測し、キャリア増幅器１２を構成するＦＥＴのドレイン電流が所望の電流となるように、直流電源２４の電圧を調整して、キャリア増幅器１２を構成するＦＥＴのゲートに供給するバイアス電圧を設定する。これにより、同時に、ピーク増幅器１３を構成するＦＥＴのゲートに供給するバイアス電圧も、最適に調整されることになる（ステップＳ２）。
【００６２】
このように、本発明の第１の実施形態では、キャリア増幅器１２とピーク増幅器１３とでウェハロットや製造時期等のデバイスに関する共通要素を持つものを用い、ピーク増幅器１３に対するバイアスとなる直流電圧Ｖｇ２がキャリア増幅器１２に対するバイアス電圧となる直流電圧Ｖｇ１と、所定のオフセット電圧Ｖｏｆｆｓｅｔとから生成している。これにより、増幅器を構成するＦＥＴの特性のばらつきに係わらず、ピーク増幅器１３に設定されるバイアス電圧のピンチオフ電圧Ｖｐとの差は同じになり、ＦＥＴのばらつきがあっても、ピーク増幅器１３のバイアス電圧を最適に設定することができる。また、本発明の第１の実施形態では、キャリア増幅器１２を構成するＦＥＴのゲートに印加するバイアス電圧を調整することで、同時に、ピーク増幅器１３を構成するＦＥＴのゲートに供給するバイアス電圧も調整できるため、調整工数を削減することができる。更に、ピーク増幅器１３のバイアス設定のための電源が不要になる。
【００６３】
次に、本発明の第１の実施形態における電圧オフセット回路２６について説明する。上述のように、電圧オフセット回路２６は、直流電源２４からの直流電圧を所定電圧だけオフセットさせて、ピーク増幅器１３に対するバイアス電圧を生成する。このような電圧オフセット回路２６は、直流電源２４からの直流電圧から正のオフセット電圧を減算する構成により、又は直流電源２４からの直流電圧と負のオフセット電圧とを加算する構成により実現できる。
【００６４】
図４は、本発明の第１の実施形態に係るドハティ増幅器におけるオフセット回路２６の第１の例である。この例は、直流電源２４からの直流電圧から正のオフセット電圧を減算して、ピーク増幅器１３に対するバイアス電圧を生成するものである。
【００６５】
図４において、減算回路４２には、直流電圧Ｖｇ１が供給されると共に、オフセット電源４１からの正のオフセット電圧Ｖｏｆｆｓｅｔが供給される。減算回路４２により、直流電圧Ｖｇ１からオフセット電圧Ｖｏｆｆｓｅｔが減算され、ピーク増幅器１３に対するバイアス電圧（Ｖｇ２＝Ｖｇ１−Ｖｏｆｆｓｅｔ）が生成される。
【００６６】
図５は、図４に示すような電圧オフセット回路２６の具体的な構成を示すものである。図５に示すように、減算回路４２は、演算増幅器５１と、抵抗５２〜抵抗５５により構成できる。図５において、演算増幅器５１の反転入力端子には、抵抗５２を介して、オフセット電源４１が接続される。オフセット電源４１からは、オフセット電圧Ｖｏｆｆｓｅｔが印加される。また、演算増幅器５１の反転入力端子とその出力端子の間に、抵抗５３が接続される。
【００６７】
演算増幅器５１の非反転入力端子と、入力端子５６との間に、抵抗５４が接続される。入力端子５６には、直流電圧Ｖｇ１が供給される。また、演算増幅器５１の非反転入力端子と接地間に、抵抗５５が接続される。
【００６８】
このような構成では、抵抗５２〜５５の抵抗値Ｒ１を全て等しく設定すると、演算増幅器５１により減算回路が構成され、出力端子５７からは、直流電圧Ｖｇ１と、オフセット電圧Ｖｏｆｆｓｅｔとの差電圧が出力電圧Ｖｏｕｔとして得られる（Ｖｏｕｔ＝Ｖｇ１−Ｖｏｆｆｓｅｔ）。
【００６９】
図６は、本発明の第１の実施形態に係るドハティ増幅器における電圧オフセット回路２６の第２の例である。この例は、直流電源２４からの直流電圧Ｖｇ１と負のオフセット電圧を加算して、ピーク増幅器１３に対するバイアス電圧を生成するものである。
【００７０】
図６において、加算回路６２には、直流電圧Ｖｇ１が供給されると共に、オフセット電源６１からの負のオフセット電圧−Ｖｏｆｆｓｅｔが供給される。加算回路６２により、直流電圧Ｖｇ１とオフセット電源４１からの負のオフセット電圧−Ｖｏｆｆｓｅｔが加算され、ピーク増幅器１３に対するバイアス電圧（Ｖｇ２＝Ｖｇ１−Ｖｏｆｆｓｅｔ）が生成される。
【００７１】
図７は、図６に示すような電圧オフセット回路２６の具体的な構成を示すものである。図７に示すように、このような加算回路６２は、演算増幅器７１及び７２と、抵抗７３〜抵抗７５、抵抗７６及び７７により構成できる。
【００７２】
図７において、演算増幅器７１の反転入力端子は、抵抗７３を介して、オフセット電源６１に接続される。オフセット電源６１からは、負のオフセット電圧−Ｖｏｆｆｓｅｔが出力される。
【００７３】
また、演算増幅器７１の反転入力端子は、抵抗７４を介して、入力端子７８に接続される。入力端子７８には、直流電圧Ｖｇ１が供給される。また、演算増幅器７１の出力端子とその反転出力端子との間に、抵抗７５が接続される。演算増幅器７１の非反転入力端子が接地される。
【００７４】
このような構成では、抵抗７３〜抵抗７５の抵抗値Ｒ２を全て同一にすると、演算増幅器７１、抵抗７３〜抵抗７５により反転加算回路が構成される。これにより、演算増幅器７１からは、直流電圧Ｖｇ１と、負のオフセット電圧−Ｖｏｆｆｓｅｔとが加算され、これが反転された出力、−（Ｖｇ１−Ｖｏｆｆｓｅｔ）が出力される。
【００７５】
演算増幅器７１の出力端子と演算増幅器７２の反転入力端子との間に、抵抗７６が接続される。演算増幅器７２の出力端子とその反転入力端子との間に、抵抗７７が接続される。演算増幅器７２の非反転入力端子が接地される。
【００７６】
このような構成では、抵抗７６と抵抗７７の抵抗値Ｒ３を同一にすると、演算増幅器７２と、抵抗７６及び７７により、ゲイン１の反転増幅器が構成される。これにより、演算増幅器７１の出力電圧、−（Ｖｇ１−Ｖｏｆｆｓｅｔ）は、演算増幅器７２により反転され、出力端子７９からは、直流電圧Ｖｇ１と、オフセット電圧Ｖｏｆｆｓｅｔとの差電圧が出力電圧Ｖｏｕｔとして得られる（Ｖｏｕｔ＝Ｖｇ１−Ｖｏｆｆｓｅｔ）。
【００７７】
なお、キャリア増幅器１２やピーク増幅器１３としてＦＥＴを用いた場合には、ゲートのインピーダンスは高い。また、直流電源２４の出力インピーダンスは、十分な電流を供給でき、インピーダンスは低い。このように、直流電源の出力インピーダンスが低く、Ｖｏｕｔに接続される回路の入力インピーダンスが高い場合には、電圧オフセット回路２６として、図８に示すような、抵抗８１及び抵抗８２からなる回路を用いても良い。オフセット電源８３からはオフセット電圧Ｖｏｆｆｓｅｔ’が出力される。入力端子８４には、直流電圧Ｖｇ１が供給される。図８に示すような、電圧オフセット回路２６の第３の例では、抵抗８１の抵抗値をＲ４、抵抗８２の抵抗値をＲ５とすると、出力端子８５からの出力電圧は
Ｖｏｕｔ＝Ｖｇ１（Ｒ４／（Ｒ４＋Ｒ５））−Ｖｏｆｆｓｅｔ’（Ｒ５／（Ｒ４＋Ｒ５））  ［Ｖ］
となる。
【００７８】
また、直流電源の出力インピーダンスが低く、Ｖｏｕｔに接続される回路の入力インピーダンスが高い場合には、電圧オフセット回路２６として、図９に示すような、抵抗９１及び抵抗９２からなる回路を用いても良い。入力端子９３には、直流電圧Ｖｇ１が供給される。図９に示すような、電圧オフセット回路２６の第４の例では、抵抗９１の抵抗値をＲ６、抵抗９２の抵抗値をＲ７とすると、その出力電圧は
Ｖｏｕｔ＝Ｖｇ１（Ｒ６／（Ｒ６＋Ｒ７））［Ｖ］
となる。
【００７９】
このような電圧オフセット回路例の出力電圧は、電圧オフセット回路１の出力電圧を（Ｖｇ１−Ｖｏｆｆｓｅｔ）とするためには必ずしも好適ではないが、固定バイアスの場合と比較すれば、ＦＥＴのゲート電圧に対するドレイン電流特性のばらつきを吸収する方向に作用し、更に演算増幅器が不要、若しくは演算増幅器も直流電源も不要な簡素な回路構成で実現できる利点がある。
【００８０】
なお、上述の例では、キャリア増幅器１２及びピーク増幅器１３としてＦＥＴ使用した例について説明しているが、本発明は、ＦＥＴを使用したものに限ったものではなく、キャリア増幅器１２及びピーク増幅器１３として、バイポーラトランジスタを用いたものであっても構わない。また、本発明は、そのプロセスについても、ＬＤＭＯＳ（Ｌａｔｅｒａｌｌｙ  Ｄｉｆｆｕｓｅｄ  Ｍｅｔａｌ  Ｏｘｉｄｅ  Ｓｅｍｉｃｏｎｄｕｃｔｏｒ）であってもＨＥＭＴ（Ｈｉｇｈ  Ｅｌｅｃｔｒｏｎ  Ｍｏｂｉｌｉｔｙ  Ｔｒａｎｓｉｓｔｏｒ）であってもＨＢＴ（Ｈｅｔｅｒｏ  ｊｕｎｃｔｉｏｎ  Ｂｉｐｏｌａｒ  Ｔｒａｎｓｉｓｔｏｒ）であっても、その他のプロセスであっても問題なく、半導体材料としてシリコンであっても、化合物半導体であっても、他の半導体材料であっても良い。
【００８１】
特に好適な実施形態としては、キャリア増幅器１２とピーク増幅器１３が１つのパッケージに実装されたドハティ増幅器のバイアス回路への適用が挙げられる。
【００８２】
図１０は、本発明の第２の実施形態に係るドハティ増幅器１０１の構成を示すブロック図である。この例では、１つのパッケージにキャリア増幅器１１２とピーク増幅器１１３とを実装したものである。
【００８３】
図１０に示すように、１つのパッケージ１００には、２つのＦＥＴが実装されており、その一方がキャリア増幅器１１２として使用され、他方がピーク増幅器１１３として使用される。このように、１つのパッケージ１００に２つのＦＥＴを実装した場合、キャリア増幅器１１２として使用されるＦＥＴと、ピーク増幅器１１３として使用されるＦＥＴとは、同一のパッケージに収められたプッシュプル増幅器用或いはバランス増幅器用のトランジスタ対であるので、両者のゲート電圧に対するドレイン電流特性がほぼ揃っていると期待できる。
【００８４】
なお、図１０における、入力電力分配回路１１１、キャリア増幅器１１２、ピーク増幅器１１３、出力電力合成回路１１４、ＲＦ入力端子１２１、ＤＣデカップリングコンデンサ１２２、１２３、直流電源１２４、電圧オフセット回路１２６、チョークコイル１２５、１２７、直流電源１２８、チョークコイル１２９、１３０、ＤＣデカップリングコンデンサ１３１、１３２、ＲＦ出力端子１３３は、図１における、入力電力分配回路１１、キャリア増幅器１２、ピーク増幅器１３、出力電力合成回路１４、ＲＦ入力端子２１、ＤＣデカップリングコンデンサ２２、２３、直流電源２４、電圧オフセット回路２６、チョークコイル２５、２７、直流電源２８、チョークコイル２９、３０、ＤＣデカップリングコンデンサ３１、３２、ＲＦ出力端子３３と同様であり、その説明を省略する。
【００８５】
また、本発明は、キャリア増幅器１２とピーク増幅器１３が各１台からなるドハティ増幅器のバイアス回路への適用に限ったものではなく、２台以上のピーク増幅器を有するＮウェイドハティ増幅器にも適用できる。
【００８６】
図１１は、本発明の第３の実施形態を示すものである。この例では、図１１に示すように、キャリア増幅器２００と、２台以上のピーク増幅器２０１ａ、２０１ｂ、…と、入力電力分配回路２０３と、出力電力合成回路２０４とからなるＮウェイ型のドハティ増幅器となっている。本発明は、このようなＮウェイ型のドハティ増幅器のバイアス回路にも適用できる。
【００８７】
更に、本発明は、非対称型のドハティ増幅器のバイアス回路にも適用できる。図１２は、本発明の第４の実施形態を示すものである。この例では、キャリア増幅器２１１と、２台以上のピーク増幅器２１２ａ、２１２ｂ、…と、ピーク増幅器の入力電力分配回路２１４と、ピーク増幅器の出力電力合成回路２１６と、キャリア増幅器とピーク増幅器の入力電力分配回路２１３と、キャリア増幅器とピーク増幅器の出力信号電力合成回路２１５とからなる、非対称型のドハティ増幅器の構成となっている。本発明は、このような非対称型のドハティ増幅器のバイアス回路にも適用できる。
【００８８】
また、上述の第１の実施形態では、キャリア増幅器１２及びピーク増幅器１３として、Ｎチャネルのエンハンスメント型ＦＥＴを例に説明しているが、ＰチャネルのＦＥＴである場合は、Ｖｏｆｆｓｅｔの極性、又は加減算を逆に変え、
Ｖｇ２＝Ｖｇ１＋Ｖｏｆｆｓｅｔ  ［Ｖ］
となるように構成すれば良い。
【００８９】
また、デプレッション型のＦＥＴを用いる場合には、キャリア増幅器１２のゲートに印加されるバイアス電圧となる直流電圧Ｖｇ１を負の電圧とし、また、ピーク増幅器１３のゲートに印加されるバイアス電圧となる直流電圧Ｖｇ２も負の電圧となるようなオフセット電圧Ｖｏｆｆｓｅｔとすれば良い。
【００９０】
また、上述の第１の実施形態では、キャリア増幅器１２に対するバイアス電圧を生成する直流電源２４を設け、電圧オフセット回路２６で、このキャリア増幅器１２に対するバイアス電圧を生成する直流電源２４からの直流電圧Ｖｇ１から、ピーク増幅器１３に対するバイアスとなる直流電圧Ｖｇ２をオフセット電圧により生成しているが、図１３に示すように、ピーク増幅器に対するバイアスとなる直流電圧Ｖｇ２を生成する直流電源を設け、このピーク増幅器に対するバイアス電圧を生成する直流電源からの直流電圧Ｖｇ２から、キャリア増幅器１２に対するバイアス電圧となる直流電圧Ｖｇ１をオフセット電圧により生成する構成としても良い。
【００９１】
つまり、図１３は、本発明の第５の実施形態に係るドハティ増幅器３０１の構成を示すブロック図である。図１３において、直流電源３２４は、ピーク増幅器３１３に対するバイアス電圧を生成する。この直流電源３２４からの直流電圧Ｖｇ２がピーク増幅器１１３を構成するＦＥＴのゲートに供給されると共に、電圧オフセット回路３２６に供給される。
【００９２】
電圧オフセット回路３２６は、直流電源３２４からの直流電圧Ｖｇ２に、オフセット電圧Ｖｏｆｆｓｅｔを加算して、キャリア増幅器３１２に対するバイアスとなる直流電圧Ｖｇ１を生成している。この電圧オフセット回路３２６の出力電圧Ｖｏｕｔ（Ｖｏｕｔ＝Ｖｇ２＋Ｖｏｆｆｓｅｔ）がキャリア増幅器３１２のゲートに供給される。
【００９３】
なお、図１３における、入力電力分配回路３１１、キャリア増幅器３１２、ピーク増幅器３１３、出力電力合成回路３１４、ＲＦ入力端子３２１、ＤＣデカップリングコンデンサ３２２、３２３、チョークコイル３２５、３２７、直流電源３２８、チョークコイル３２９、３３０、ＤＣデカップリングコンデンサ３３１、３３２、ＲＦ出力端子３３３は、図１における入力電力分配回路１１、キャリア増幅器１２、ピーク増幅器１３、出力電力合成回路１４、ＲＦ入力端子２１、ＤＣデカップリングコンデンサ２２、２３、チョークコイル２５、２７、直流電源２８、チョークコイル２９、３０、ＤＣデカップリングコンデンサ３１、３２、ＲＦ出力端子３３と同様であり、その説明を省略する。
【００９４】
本発明は、上述した実施形態に限定されるものではなく、この発明の要旨を逸脱しない範囲内で様々な変形や応用が可能である。
【符号の説明】
【００９５】
１１，１１１，３１１：入力電力分配回路
１２，１１２，３１２：キャリア増幅器
１３，１１３，３１３：ピーク増幅器
１４，１１４，３１４：出力電力合成回路
２４，１２４，３２４：直流電源
２５，１２５，３２５：チョークコイル
２６，１２６，３２６：電圧オフセット回路
２８，１２８，３２８：直流電源
【図１】
2012199746.tif 000003
【図２】
2012199746.tif 000004
【図３】
2012199746.tif 000005
【図４】
2012199746.tif 000006
【図５】
2012199746.tif 000007
【図６】
2012199746.tif 000008
【図７】
2012199746.tif 000009
【図８】
2012199746.tif 000010
【図９】
2012199746.tif 000011
【図１０】
2012199746.tif 000012
【図１１】
2012199746.tif 000013
【図１２】
2012199746.tif 000014
【図１３】
2012199746.tif 000015
【図１４】
2012199746.tif 000016
【図１５】
2012199746.tif 000017
【図１６】
2012199746.tif 000018
【図１７】
2012199746.tif 000019
【図１８】
2012199746.tif 000020
【図１９】
2012199746.tif 000021